(57)【特許請求の範囲】
【請求項１】
ベース部材と、装飾体と、該装飾体を前記ベース部材に対して昇降させる昇降機構と、該昇降機構を駆動する駆動機構と、を備えた装飾体ユニットを有した遊技機であって、
前記駆動機構は、内側端部を前記昇降機構によって回動自在に支持されると共に外側端部を前記ベース部材によって上下方向へ揺動自在に軸支されたアームと、該アームと前記ベース部材とに跨って配置されて該アームを上昇方向へ付勢するトーションバネと、前記アームを揺動させる駆動源と、を備え、
前記トーションバネは、コイル部から夫々突出する二本のバネ腕のうちの一方のバネ腕を前記ベース部材に支持されると共に他方のバネ腕を前記アームに支持され、前記アームが下降している時に収縮して蓄力状態となり、且つ前記駆動源が前記アームを上昇させるときに該他方のバネ腕が該一方のバネ腕に対して拡開しながら蓄力を開放するように構成され、
前記他方のバネ腕の基端部の前記コイル部外周上の位置は、前記他方のバネ腕の延びる方向が前記アームの長手方向と略並行となるように設定されていることを特徴とする遊技機。
【発明の詳細な説明】
【技術分野】
【０００１】
本発明は、パチンコ遊技機を構成する遊技盤面上において重量物としての装飾体を昇降動作させることによって遊技進行上特徴的な演出効果を発揮させることができるようにした装飾体ユニットを備えた遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、遊技盤前面に昇降自在に配置した演出部材が、一定の遊技状態になると図柄表示装置の表示内容に連動して長いストロークで瞬時に昇降動作するようにした役物機構が開示されている。この役物機構は、モータ、ギヤ、回転板、アーム等から成り、演出部材を上昇させる際にはモータからの駆動力を利用するが、演出部材を下降させる際にはモータからの駆動力を遮断して自重により落下させる構成を採用している。
演出部材に可動部品、モータ、ギヤ、発光部品、プリント基板等を搭載して演出効果に多様性をもたせる場合、演出部材の重量が必然的に大きくなる。重量物としての演出部材を上昇させたり、上昇後にその停止状態を維持するためにモータを使用しているが、演出部材を上昇させる際のモータの負荷が過大となりその耐久性を低下させる原因となっている。
【０００３】
図１１（ａ）（ｂ）及び（ｃ）は従来の演出部材の昇降機構の一部を示す図であり、遊技盤に固定されるベース部材１００にはアーム１０５の基端部が軸部１０１によって矢印で示す昇降方向へ回動自在に軸支されている。アームが昇降方向へ回動することによってアームの先端側に配置された図示しない演出部材が昇降される。アーム１０５は図示しないモータからの駆動力によって昇降駆動されるが、上昇時におけるモータの出力を補うためにアームの基端部にはトーションバネ１１０が配置されている。
トーションバネ１１０は、線材をコイル状に巻き回したコイル部１１１と、コイル部１１１を構成する線材の両端部からハ字状に拡開して延びるバネ腕１１２ａ、１１２ｂとから構成されている。このトーションバネ１１０によりアーム１０５を上昇方向へ付勢するために図１１に示すように固定側バネ腕１１２ａをベース部材１００に固定すると共に可動側バネ腕１１２ｂをアーム１０５に対してスライド自在に支持している。トーションバネの組付けに際しては、可動側バネ腕１１２ｂが固定側バネ腕１１２ａに対して最も接近した状態（バネの開放状態＝原形状態＝図１１（ａ））にあるときにアーム１０５が最上昇位置に引き上げられ、アームが下降位置にある時には可動側バネ腕１１２ｂがその弾発力に抗して拡開させられた状態（蓄力状態＝図１１（ｃ））となるように設定される。
従って、下降位置にあるアーム１０５をモータの駆動によって上昇方向へ回動させる際にはバネの蓄力が開放されるため、可動側バネ腕１１２ｂが固定側バネ腕１１２ａに接近する方向（原形復帰方向）へ回動してモータの駆動力を補助することができる。
【０００４】
しかし、このようなトーションバネによるサポート構造ではバネ力が十分でなく、モータの出力を大きめに設定する必要があった。
即ち、トーションバネがその力を最も発揮し易いのは、可動側バネ腕１１２ｂが固定側バネ腕１１２ａに接近する方向へ蓄力を開放する時ではなく、可動側バネ腕１１２ｂが固定側バネ腕１１２ａから離間する方向へ蓄力を開放する時である。それにも拘わらず、従来は可動側バネ腕１１２ｂが固定側バネ腕に１１２ａに接近する際の力を利用してアームを上昇させるのが一般であった。
【０００５】
また、トーションバネが原形に復帰する際に可動側バネ腕１１２ｂが回動する方向ｄ１（作用点ｐ１に作用する力の方向）に対してアームが回動する方向ｄ２が大きくずれているため、可動側バネ腕の原形復帰時における力のロスが大きく、バネ力が効果的にアームに伝わっていない。
また、演出部材が上昇した状態を維持するためにモータ停止に伴うロック力を利用しているが、演出部材の上昇停止中に常にモータに対して演出部材からの重量負荷が加わるため、モータの耐久性が低下し易くなる。演出部材が重量化すればする程、この不具合が助長されることとなる。しかし、上記構成のトーションバネでは、アームを上昇位置に保持する際のサポート力が不十分であり、モータの耐久性低下を効果的に抑制することができなかった。
このため、昇降用のモータの負荷が増大してその耐久性を低下させ、故障発生頻度が増大するという問題があった。
このような不具合に対処するためには出力の大きいトーションバネを利用する必要があるが、大型化、コストアップをもたらすため採用できないケースが多々ある。
【先行技術文献】
【特許文献】
【０００６】
【特許文献１】特開２００７−７０５７公報
【発明の概要】
【発明が解決しようとする課題】
【０００７】
以上のように従来の演出部材を昇降させる機構は、モータの駆動力によって演出部材を支持したアームを上昇させる際、及び上昇位置に保持する際にトーションバネによりモータを補助していたが、トーションバネの二本のバネ腕が接近する際の力を利用してアームを上昇させる構成であったために力が不十分であり、モータに対するサポート力として十分に機能していなかった。また、トーションバネのバネ腕が蓄力を開放する際に回動する方向とアームが回動する方向との間に大きなギャップがあったためにバネ力のロスが大きくなり、トーションバネを大型化しない限りモータの耐久性低下を防ぐことができなかった。
このため、設置スペースやコストの問題から大型のトーションバネを採用できない場合には、昇降用のモータの負荷が増大してその耐久性を低下させ、故障発生頻度が増大するという問題があった。
本発明は上記に鑑みてなされたものであり、トーションバネによってモータによる演出部材（装飾体）の上昇をサポートするように構成した場合に、トーションバネを大型化、高コスト化することなくモータを効果的に補助して、重量物としての装飾体を上昇させたり、上昇位置に保持し続けることができる装飾体ユニットを備えた遊技機を提供するものである。
【課題を解決するための手段】
【０００８】
上記目的を達成するため、請求項１の発明に係る装飾体ユニットは、ベース部材と、装飾体と、該装飾体を前記ベース部材に対して昇降させる昇降機構と、該昇降機構を駆動する駆動機構と、を備えた装飾体ユニットであって、前記駆動機構は、内側端部を前記昇降機構によって回動自在に支持されると共に外側端部を前記ベース部材によって上下方向へ揺動自在に軸支されたアームと、該アームと前記ベース部材とに跨って配置されて該アームを上昇方向へ付勢するトーションバネと、前記アームを揺動させる駆動源と、を備え、前記トーションバネは、コイル部から夫々突出する二本のバネ腕のうちの一方のバネ腕を前記ベース部材に支持されると共に他方のバネ腕を前記アームに支持され、前記アームが下降している時に収縮して蓄力状態となり、且つ前記駆動源が前記アームを上昇させるときに該他方のバネ腕が該一方のバネ腕に対して拡開しながら蓄力を開放するように構成され、前記他方のバネ腕の基端部の前記コイル部外周上の位置は、前記他方のバネ腕の延びる方向が前記アームの長手方向と略並行となるように設定されていることを特徴とする。
【発明の効果】
【０００９】
本発明によれば、トーションバネによって駆動源による装飾体の上昇をサポートするように構成した場合に、トーションバネを大型化、高コスト化することなく駆動源を効果的に補助して、重量物としての装飾体を上昇させたり、上昇位置に保持し続けることができる。
【図面の簡単な説明】
【００１０】
【図１】本発明の実施形態に係るパチンコ遊技機の一例を示した全体正面図である。
【図２】（ａ）及び（ｂ）は本発明の装飾体ユニットの構成を示す正面図、及び正面側斜視図である。
【図３】装飾ユニットの一部を分解した状態で示す斜視図である。
【図４】装飾体ユニット全体の分解斜視図である。
【図５】（ａ）（ｂ）及び（ｃ）は駆動機構及び伸縮機構の原理を説明するための説明図である。
【図６】（ａ）及び（ｂ）は伸縮機構が上昇位置にある場合の正面図、及び要部拡大図である。
【図７】（ａ）及び（ｂ）は伸縮機構が中間下降位置にある場合の正面図、及び要部拡大図である。
【図８】（ａ）及び（ｂ）は伸縮機構が最下降位置にある場合の正面図、及び要部拡大図である。
【図９】トーションバネの構成を示す斜視図である。
【図１０】（ａ）（ｂ）及び（ｃ）はアーム上昇時、中間下降時、及び最下降時におけるトーションバネの挙動を夫々示す説明図である。
【図１１】（ａ）（ｂ）及び（ｃ）は従来のトーションバネの挙動の説明図である。
【発明を実施するための形態】
【００１１】
以下、本発明を図面に示した実施の形態により詳細に説明する。
図１は、本発明の実施形態に係る遊技機の一例としてのパチンコ遊技機を示した全体正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部に設けた開口５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【００１２】
図柄表示装置６の上部の遊技盤面には装飾体ユニット３０が設けられている。装飾体ユニット３０は、形状が種々変化する紋章を象った装飾体３１を備え、装飾体３１の左右両側方には夫々「水戸」及び「黄門」の文字を象った部材１５０が配置されている。
図柄表示装置６の下方には、図柄表示装置６の特別図柄を可変表示させるための可変入賞装置１１が設けられている。図柄表示装置６の左方には、図示しない普通図柄表示装置に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
【００１３】
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は、可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１４】
次に、図２乃至図１０に基づいて本発明の装飾体ユニットの構成、動作について説明する。
図２（ａ）及び（ｂ）は本発明の装飾体ユニットの構成を示す正面図、及び正面側斜視図であり、図３は装飾ユニットの一部を分解した状態で示す斜視図であり、図４は装飾体ユニット全体の分解斜視図であり、図５（ａ）（ｂ）及び（ｃ）は駆動機構及び伸縮機構の原理を説明するための説明図であり、図６（ａ）及び（ｂ）は伸縮機構が上昇位置にある場合の正面図、及び要部拡大図であり、図７（ａ）及び（ｂ）は伸縮機構が中間下降位置にある場合の正面図、及び要部拡大図であり、図８（ａ）及び（ｂ）は伸縮機構が最下降位置にある場合の正面図、及び要部拡大図であり、図９はトーションバネの構成を示す斜視図であり、図１０（ａ）（ｂ）及び（ｃ）はアーム上昇時、中間下降時、及び最下降時におけるトーションバネの挙動を夫々示す説明図である。
【００１５】
装飾体ユニット３０は、装飾体３１と、ベース部材３５と、装飾体３１をベース部材３５に対して昇降させる昇降ユニット４０と、を備えている。
昇降ユニット４０は、装飾体３１を支持して昇降方向へ伸縮する伸縮機構（昇降機構）４５と、この伸縮機構を伸縮（昇降）させる駆動機構８０と、を有している。
伸縮機構（昇降機構）４５は、ベース部材３５により昇降自在に支持された第１の昇降部材５０と、ベース部材３５に固定された上下方向（昇降方向）へ延びる固定側ラックギヤ３６と、第１の昇降部材５０によって昇降自在に支持された第２の昇降部材７０と、第２の昇降部材７０に固定された上下方向（昇降方向）へ延びる可動側ラックギヤ７５と、第１の昇降部材５０により回転自在に軸支され且つ駆動機構８０によって第１の昇降部材５０が昇降駆動される際に固定側ラックギヤ３６によって回転駆動される第１のピニオンギヤ５２と、第１の昇降部材５０によって回転自在に軸支されると共に第１のピニオンギヤ５２によって回転駆動される第２のピニオンギヤ５４（裏面側ギヤ５４ａ、表面側ギヤ５４ｂ）と、第１の昇降部材５０により回転自在に軸支されると共に可動側ラックギヤ７５及び第２のピニオンギヤ５４と噛合する第３のピニオンギヤ５６と、を備えている。
【００１６】
駆動機構８０は、ベース部材３５に設けたモータ穴３５ａの背面側に固定された正逆回転するモータ８１と、モータ８１の出力軸からの駆動力を受けて正逆転し且つ回転中心から偏心した位置にピン８３ａを突設した回動部材８３と、内側端部の軸支部８５ａを第１の昇降部材５０によって回動自在に軸支されると共に外側端部に設けた軸支部８５ｂをベース部材３５によって上下方向（昇降方向）へ揺動自在に軸支され且つ直線状の長穴８５ｃを有したアーム８５と、アーム８５を上昇方向へ付勢するトーションバネ８７と、を備える。
回動部材のピン８３ａは、アームに設けた長穴８５ｃ内に遊嵌し、回動部材８３が正逆転する際にピン８３ａが長穴８５ｃ内を往復することにより、アーム８５を軸支部８５ｂを中心として上下動させるように構成されている。アームの上下動に伴って、アーム先端に支持された第１の昇降部材５０に対して昇降方向への駆動力が伝達される。
なお、図４、図５に示すように、アーム先端の軸支部８５ａは、アーム側に設けた短尺長穴８５ａ｀内に第１の昇降部材５０側に設けた突起８５ａ”を遊嵌した構成を有する。このため、軸支部８５ｂを中心としたアーム８５の揺動を安定させることができる。
【００１７】
ベース部材３５の前面左側寄り適所には固定側ラックギヤ３６が上下方向（昇降方向）へ延びるように固定される一方で、固定側ラックギヤ３６の右方向には挿通穴３６ａを有した凸片３６ｂが４箇所設けられており、これらの挿通穴３６ａ内に上下方向（昇降方向）へ延びる二本の固定側ガイドロッド３７が所定の間隔を隔てて固定されている。各固定側ガイドロッド３７の下部は固定部材３６ｃによってベース部材に固定されている。また、ベース部材３５にはフォトセンサ３８が配置されており、第１の昇降部材５０に設けた被検知部３８ａを検知することにより第１の昇降部材５０が上昇位置にあることを検知して図示しない制御手段に送信するように構成されている。
第１の昇降部材５０に設けた被ガイド穴５１を二本の固定側ガイドロッド３７に挿通することにより、第１の昇降部材５０はベース部材３５によって上下方向（昇降方向）へガイドされる。
【００１８】
第１のピニオンギヤ５２は第１の昇降部材５０に設けた軸穴５３ａによって回転自在に軸支されて第１の昇降部材の裏面側に配置されている。第１の昇降部材５０に設けた軸穴５３ｂによって回転自在に軸支される第２のピニオンギヤ５４は、同軸状に一体化された裏面側ギヤ５４ａ及び表面側ギヤ５４ｂから成り、裏面側ギヤ５４ａは第１のピニオンギヤ５２と噛合し、表面側ギヤ５４ｂは第３のピニオンギヤ５６と噛合する。第３のピニオンギヤ５６は、第１の昇降部材５０に設けた軸穴５３ｃによって回転自在に軸支されている。第１のピニオンギヤ５２はラックギヤ３６と噛合し易いように第２のピニオンギヤ５４よりも大径に設定されており、第３のピニオンギヤ５６は第２のピニオンギヤ５４よりも大径に設定されている。従って、アーム８５が上下動することによって第１の昇降部材５０が上下動すると、固定側ラックギヤ３６に沿って上下動する第１のピニオンギヤ５２が回転し、順次第２、第３のピニオンギヤ５４、５６を回転させる。
また、第１の昇降部材５０の前面側に突出した上下の凸片５０ａ間には可動側ガイドロッド５５が連結部材５５ａを介して固定されている。
【００１９】
第２の昇降部材７０の右縦辺に沿った位置には可動側ラックギヤ７５が固定され、第３のピニオンギヤ５６と噛合している。従って、第３のピニオンギヤ５６が正逆転することにより第２の昇降部材７０は昇降する。
第２の昇降部材７０の左右両側部から突設した支持台座７２には、装飾体３１の背面が螺子止め固定されている。
固定側ラックギヤ３６、アーム８５、ピニオンギヤ５２、５４、５６、及び可動側ラックギヤ７５の位置関係は図４に示すように構成されている。即ち、モータ８１が正逆転すると回動部材８３のピン８３ａがアーム８５の長穴８５ｃ内を往復動するため、軸支部８５ｂを中心としてアーム８５が揺動して図４中に図示しない第１の昇降部材５０を上下動させる。この際、第１の昇降部材５０によって回転自在に軸支された第１のピニオンギヤ５２がベース部材に固定された固定側ラックギヤ３６に沿って上下動することにより自転を開始する。第１のピニオンギヤ５２の回転は第２のピニオンギヤ５４、第３のピニオンギヤ５６へと順次伝達される。第１の昇降部材５０によって上下動自在に支持された第２の昇降部材７０には可動側ラックギヤ７５が設けられているため、第３のピニオンギヤ５６が正逆転することによって第２の昇降部材７０は第１の昇降部材５０に対して上下動することができる。
【００２０】
図５（ａ）、図６は伸縮機構の最上昇状態を示しており、装飾体３１が上昇位置にある時にアーム８５の内側端部（軸支部８５ａ）は外側端部（軸支部８５ｂ）よりも上方に位置しており、且つ長穴８５ｃの内側端縁（正面視左端部）はその外側端縁（正面視右端部）よりも上方に位置している。更にピン８３ａは長穴８５ｃの外側端縁寄りに位置しており、この時のピンは回動部材８３の回動中心よりも外側（右側）に位置している。この状態ではピンと長穴とがロックした状態にあるため、モータ８１を停止させたとしても、装飾体３１や伸縮機構４５の自重によって昇降ユニット４０全体が下降することがない。
次に、図５（ｂ）、図７は第１及び第２の昇降部材が下降する途中の状態を示しており、最上昇位置において停止していたモータ８１が下降方向へ回転を開始するとピン８３ａは長穴内を内側（左側）へ向けて移動開始するため、アームが軸支部８５ｂを中心として下方へ揺動を開始し、第１の昇降部材５０を下降させる。このため、第１のピニオンギヤ５２が固定側ラックギヤ３６によって回転させられ、この回転力は順次第２、第３のピニオンギヤ５４、５６へと伝達される。第３のピニオンギヤ５６の回転は可動側ラックギヤ７５に伝達されるため、第２の昇降部材７０も下降を開始する。
【００２１】
図５（ｃ）、図８は最下降状態を示しており、ベース部材３５に対する第１、第２の昇降部材５０、７０の離間距離が最大となっている。
第１の昇降部材５０は第１のピニオンギヤ５２が固定側ラックギヤ３６に沿って最大限下降し得る位置まで下降すると共に、第２の昇降部材７０は第２のピニオンギヤ５６が可動側ラックギヤ７５に沿って最大限下降し得る位置まで下降するため、第２の昇降部材７０に固定された装飾体３１の最大昇降距離は第１の昇降部材単体の昇降距離を更に上回る距離となる。
【００２２】
このように本発明の装飾体ユニットにあっては、装飾体３１の上昇時には伸縮機構４５の上下幅は最小となる一方で、装飾体の下降時には伸縮機構が伸長して上下幅が最大となる。しかも、伸縮機構はベース部材に対して第１及び第２の昇降部材５０、７０が二段階で伸縮するように構成されているため、伸縮機構の伸長時の上下幅を短縮時の上下幅の二倍以上にすることができる。このため、遊技盤面という限られたスペース内で装飾体ユニットの伸長距離を可能な限り大きく確保して演出効果を高め、遊技内容のバリエーションを拡大することができる。
更に、この装飾体ユニットの構成部品は、薄板状のベース部材３５、第１及び第２の昇降部材５０、７０と、第１の昇降部材の裏面と表面に分けてコンパクトに配置された薄肉のギヤ群５２、５４、５６と、ベース部材３５の裏面から一部が後方へ突出したモータ８１等から構成されているに過ぎないため、装飾ユニットの前後方向寸法（厚み）を薄くして遊技盤に対する取付スペースを狭くすることができる。
【００２３】
また、駆動機構８０は、内側端部（一端部）８５ａを伸縮機構（昇降機構）４５の一部、本例では第１の昇降部材５０によって回動（揺動）自在に支持されると共に、外側端部（他端部）８５ｂをベース部材３５によって上下方向へ揺動自在に軸支され且つ中間位置に長穴８５ｃを有したアーム８５と、ベース部材によって回動自在に軸支されると共に回動中心から偏心した位置に長穴８５ｃ内に遊嵌するピン８３ａを備えた回動部材８３と、回動部材８３を正逆転駆動するモータ（駆動源）８１と、を備え、装飾体３１が上昇位置にある時にアームの内側端部８５ａは外側端部８５ｂよりも上方に位置しており、且つ長穴８５ｃの内側端縁（一端縁）Ｔ１はその外側端縁（他端縁）Ｔ２よりも上方に位置しており、且つピン８３ａは長穴の外側端縁Ｔ２に当接しており、この時のピンは回動部材の回動中心（中心線ＣＬ）よりもアームの外側端部寄りに位置している（図６（ａ））。このような状態にあるときには、ピン８３ａが長穴８５ｃの外側端縁に当接することにより、モータを正転させたとしても回動部材８３はそれ以上アームを上昇させる方向へ（正面視で時計回り方向）へ回動することができない。
【００２４】
このため、装飾体３１の上昇位置においてモータを停止した場合に、モータに負荷を掛けることなく、ピン８３ａと長穴との係合のみによってアーム８５を上昇位置にロックすることができる。このため、モータの耐久性を高めることができる。
また、上記例ではピン８３ａが嵌合する長穴はアームの長手方向と並行に延びる構成としたが、長穴の長手方向とアームの長手方向は必ずしも一致している必要はなく、アームの長手方向に対して長穴の長手方向が傾斜（交差）していてもよい。長穴の長手方向がアームの長手方向と並行でない場合であっても、装飾体の上昇時に各部が上記の条件を満たす位置関係にあることによってアームをピンがロックしてモータへの負担を解消することが可能となる。
【００２５】
次に、本発明の昇降ユニット３０の他の特徴的な構成は、伸縮機構（昇降機構）４５を伸縮（昇降）させる駆動機構８０にある。
即ち、駆動機構８０を構成するトーションバネ８７は、アーム８５とベース部材３５とに跨って配置されてアームを上昇方向へ付勢する手段であるが、トーションバネが拡開する際の強い力を利用してアーム８５を上昇させるようにしている構成が特徴的である。
トーションバネ８７は、金属線材をコイル状に巻き回したコイル部８７ａと、コイル部８７ａから略ハ字状に拡開して突出した二本のバネ腕８７ｂ、８７ｃと、から構成されている。そして、ベース部材３５に固定されたコイル部８７ａから夫々突出する二本のバネ腕のうちの一方のバネ腕（固定側バネ腕）８７ｂをベース部材３５の固定部３５ｂに固定すると共に、他方のバネ腕（可動側バネ腕）８７ｃをアーム８５のバネ腕支持部８５ｄによりスライド自在に支持し、可動側バネ腕８７ｃがコイル部８７ａの弾発力によって固定側バネ腕８７ｂに対して拡開する際にアーム８５を上昇させるように構成されている。
このため、図６等に示したアームが上昇した状態においては、コイル部８７ａは圧縮されていないため、トーションバネ８７の可動側バネ腕８７ｃは固定側バネ腕８７ｂに対して拡開（離間）した位置関係にある。これに対して、アームが図７に示した中間下降状態を経て図８に示した最下降状態に達した際には、トーションバネのコイル部が圧縮された蓄力状態となるため可動側バネ腕８７ｃは固定側バネ腕８７ｂに対して近接した位置関係となる。
【００２６】
図８に示した最下降状態にある伸縮機構４５（アーム８５）を図６に示した最上昇状態に移行させるためにはモータ８１を上昇方向へ回転駆動させることになるが、その際にコイル部８７ａの収縮により蓄力状態にあったトーションバネ８７が原形に復帰するために蓄力を開放しようとするため、可動側バネ腕８７ｃが拡開してアーム８５を押し上げる。この押上げ力がモータ８１の上昇方向への駆動に際して補助となり、モータの負荷を軽減させることができる。
トーションバネ８７はコイル部が圧縮された蓄力状態から拡開して蓄力を開放する際に最大の弾発力を発揮するため、図１１に示した従来例におけるトーションバネと同じ構成（材質、線径、コイル部の巻き数、バネ腕の長さ）のトーションバネでありながらも、更に大きな出力を得ることができる。
更に本発明のトーションバネ８７は、図１１に示した従来タイプとは可動側バネ腕の形状が異なっている。具体的には、可動側バネ腕８７ｃはコイル部８７ａの外周上の所定位置からその接線方向（図１０（ａ）参照）へは延びておらず、しかも可動側バネ腕８７ｃの基端部のコイル部外周上の位置Ｐは、可動側バネ腕の延びる方向（長手方向）Ｄがアーム８５の長手方向Ｌと略並行となるように設定されている。
【００２７】
このため、図８（ｂ）、図１０（ｃ）に示したように可動側バネ腕８７ｃが原形に復帰するために上方に回動する方向ｄ１と、アーム８５が上昇するために回動する方向ｄ２とが略一致、或いは近接した方向となり、可動側バネ腕の原形復帰力がロスなく効率的にアームに伝達されることとなる。
従って、大型、高コスト等の欠点を有したパワーの大きいトーションバネを用いることなく、小型のトーションバネを用いて十分にモータの出力を補助することが可能となる。
また、本発明のトーションバネを用いた駆動機構によれば、ピン８３ａと長穴との係合によってアーム８５を上昇位置にロックする上記構成を採用しない場合であっても、モータに対する負荷を過大にせずに伸縮機構を上昇位置に保持することが可能となる。
上記実施形態では、昇降機構４５の一例として伸縮機構を示したが、これは一例に過ぎず、昇降機構としては装飾体を昇降させる構成であればどのような機構であってもよい。
【００２８】
このように本発明によれば、トーションバネによって駆動源による装飾体の上昇をサポートするように構成した場合に、トーションバネを大型化、高コスト化することなく駆動源を効果的に補助して、重量物としての装飾体を上昇させたり、上昇位置に保持し続けることができる。
なお、パチンコ遊技機の詳細な構成については図示説明していないが、本願発明の技術的範囲中にパチンコ遊技機、及び遊技盤ユニット（遊技盤＋装飾体ユニット）が含まれることに疑いがない。
【符号の説明】
【００２９】
１…遊技盤、１ａ…遊技領域、２…ガラス枠、４…発射レバー、５…開口、１０…アウト口、１１…可変入賞装置、１２…ゲート、１３…大入賞口、１４…普通入賞口、１５…風車、３０…装飾体ユニット、３１…装飾体、３５…ベース部材、３５ａ…モータ穴、３６…固定側ラックギヤ、３６ａ…挿通穴、３６ｂ…凸片、３６ｃ…固定部材、３７…固定側ガイドロッド、３７ａ…被検知部、３８…フォトセンサ、４０…昇降ユニット、４５…伸縮機構（昇降機構）、５０…第１の昇降部材、５１…被ガイド穴、５２…第１のピニオンギヤ、５３ａ…軸穴、５３ｂ…軸穴、５３ｃ…軸穴、５４…第２のピニオンギヤ、５４ａ…裏面側ギヤ、５４ｂ…表面側ギヤ、５５…可動側ガイドロッド、５６…第３のピニオンギヤ、７０…第２の昇降部材、７２…支持台座、７５…可動側ラックギヤ、８０…駆動機構、８１…モータ、８３…回動部材、８３ａ…ピン、８５…アーム、８５ａ…軸支部、８５ａ｀…短尺長穴、８５ａ”…突起、８５ｂ…軸支部、８５ｃ…長穴、８７…トーションバネ、８７ａ…コイル部、８７ｂ…固定側バネ腕、８７ｂ…可動側バネ腕
【図１】
0005119296.tif 000002
【図２】
0005119296.tif 000003
【図３】
0005119296.tif 000004
【図４】
0005119296.tif 000005
【図５】
0005119296.tif 000006
【図６】
0005119296.tif 000007
【図７】
0005119296.tif 000008
【図８】
0005119296.tif 000009
【図９】
0005119296.tif 000010
【図１０】
0005119296.tif 000011
【図１１】
0005119296.tif 000012